(57)【要約】【課題】複数の記憶媒体を利用する場合の管理の際の利便性が良く、記憶媒体が第３者に渡っても、その記憶媒体だけでは第３者による記録データの閲覧を不可能にできるデータ記録方法およびデータ再生方法を提供する。【解決手段】記録再生装置１００において、半導体メモリーカード記録・再生装置２００により、情報記録領域及び目次記録領域に１回書き込みまたは書き換え可能な半導体メモリーカード６００の目次記録領域に、目次情報を記録するとともに、その目次情報を、ディスク型記憶媒体記録・再生装置３００により、ディスク型記憶媒体５００にも別に記録するようにして、半導体メモリーカード６００のみでは、データの再生を不可能とする。【選択図】図１
2006031758.tif 000002
【特許請求の範囲】
【請求項１】
情報を記録するための情報記録領域と前記情報の目次情報を記録するための書き換え可能な目次記録領域を有するデータ記憶媒体に対して、前記情報および前記目次情報のデータを記録再生する記録再生装置のデータ記録方法であって、予め前記記録再生装置に前記データ記憶媒体のみでは前記データの再生を不可能にする機能を持たせ、前記データ記憶媒体とともにそのデータ記憶媒体とは別体の外部記憶媒体の両方を用いた場合にのみ、前記データの再生を可能にするために、前記目次情報を前記外部記憶媒体に記録することを特徴とするデータ記録方法。
【請求項２】
請求項１に記載のデータ記録方法であって、前記目次情報を、前記データ記憶媒体には記録せず前記外部記憶媒体のみに記録することを特徴とするデータ記録方法。
【請求項３】
情報を記録するための情報記録領域と前記情報の目次情報を記録するための書き換え可能な目次記録領域を有するデータ記憶媒体に対して、前記情報および前記目次情報のデータを記録再生する記録再生装置のデータ記録方法であって、予め前記記録再生装置に前記データ記憶媒体のみでは前記データの再生を不可能にする機能を持たせ、前記データ記憶媒体とともにそのデータ記憶媒体とは別体の外部記憶媒体の両方を用いた場合にのみ、前記データの再生を可能にするために、前記目次情報を暗号化して前記データ記憶媒体に記録し、前記暗号を解く情報を前記外部記憶媒体に記録することを特徴とするデータ記録方法。
【請求項４】
請求項１から請求項３のいずれかに記載のデータ記録方法であって、前記データ記憶媒体ごとに、固有のシリアル番号もしくは前記データの一部を使用して、前記記録再生装置が前記データ記憶媒体のそれぞれを識別するための識別情報を作成することを特徴とするデータ記録方法。
【請求項５】
請求項１から請求項４のいずれかに記載のデータ記録方法であって、前記外部記憶媒体として持ち運び可能な外部別半導体メモリを用いることを特徴とするデータ記録方法。
【請求項６】
請求項１から請求項４のいずれかに記載のデータ記録方法であって、前記外部記憶媒体として外部別固定ディスクを用いることを特徴とするデータ記録方法。
【請求項７】
請求項６に記載のデータ記録方法であって、前記外部別固定ディスクは、ネットワークを介して前記記録再生装置の外部に接続することを特徴とするデータ記録方法。
【請求項８】
情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記情報および前記目次情報が記録されたデータ記憶媒体と、そのデータ記憶媒体とは別体で前記データ記憶媒体の目次情報が記録された外部記憶媒体とを、両方使用することによって前記記録再生装置によるデータの再生を可能にすることを特徴とするデータ再生方法。
【請求項９】
情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記情報のみが記録されたデータ記憶媒体と、そのデータ記憶媒体とは別体で前記データ記憶媒体の目次情報が記録された外部記憶媒体とを、両方使用することによって前記記録再生装置によるデータの再生を可能にすることを特徴とするデータ再生方法。
【請求項１０】
情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記目次情報が暗号化されて記録されたデータ記憶媒体と、そのデータ記憶媒体とは別体で前記データ記憶媒体の暗号を解く情報が記録された外部記憶媒体とを、両方使用することによって前記記録再生装置によるデータの再生を可能にすることを特徴とするデータ再生方法。
【請求項１１】
請求項８から請求項１０のいずれかに記載のデータ再生方法であって、前記外部記憶媒体として持ち運び可能な外部別半導体メモリを用いることを特徴とするデータ再生方法。
【請求項１２】
請求項８から請求項１０のいずれかに記載のデータ再生方法であって、前記前記外部記憶媒体として外部別固定ディスクを用いることを特徴とするデータ再生方法。
【請求項１３】
請求項１２に記載のデータ再生方法であって、前記外部別固定ディスクは、ネットワークを介して前記記録再生装置の外部に接続することを特徴とするデータ再生方法。
【発明の詳細な説明】
【技術分野】
【０００１】
本発明は、光ディスク等のデータ記憶媒体に対して各種情報データの記録再生を行う際のデータ記録方法およびデータ再生方法に関するものである。
【背景技術】
【０００２】
従来、情報記録領域及び目次（ＴＯＣ：Ｔａｂｌｅ  Ｏｆ  Ｃｏｎｔｅｎｔｓ）記録領域に１回書込または書き換えが可能であるデータ記憶媒体にデータを記録する場合、記録情報に基づいたＴＯＣ情報は、同一のデータ記憶媒体上に記録されていた。
【０００３】
なお、別の技術（例えば、特許文献１を参照）によると、磁気ディスクまたは光磁気ディスクに記録するオーディオデータ管理情報や、ＦＡＴ情報を、不揮発性メモリまたは記録再生装置のメモリ上に一時的に複製し待避することがあるが、これは上記情報の編集状態時に発生したシステムの電源断等による情報損失時に、上記情報を元の状態に戻すことを目的としており、この技術が、データ記憶媒体のみでのデータ再生を不可能にするものではない。
【特許文献１】特開平９−３１９６４０号公報
【発明の開示】
【発明が解決しようとする課題】
【０００４】
上記特許文献１を含む従来技術では、データ記憶媒体に記録されたデータは、記録再生装置にて自由に再生閲覧ができ、秘匿利用することが不可能であった。秘匿利用を可能にするために、データに対して、暗号を施す機能を実装する方法も考えられるが、暗号機能に対応した記録再生装置があれば、結局第３者によるデータの再生閲覧は可能となる。
【０００５】
また、データ閲覧するための任意のパスワードを設定する機能も考えられるが、設定パスワード忘れ、複数の記憶媒体のパスワード管理は困難である等、複数の記憶媒体を利用するユーザにとっては、必ずしも利便性がいいものではない。
【０００６】
本発明は、上記従来の問題点を解決するもので、複数の記憶媒体を利用する場合にもそれらの管理の際の利便性が良く、利用者がデータ記録した記憶媒体が第３者に渡っても、その記憶媒体だけでは第３者による記録データの再生閲覧を不可能にすることができるデータ記録方法およびデータ再生方法を提供する。
【課題を解決するための手段】
【０００７】
上記の課題を解決するために、本発明の請求項１に記載のデータ記録方法は、情報を記録するための情報記録領域と前記情報の目次情報を記録するための書き換え可能な目次記録領域を有するデータ記憶媒体に対して、前記情報および前記目次情報のデータを記録再生する記録再生装置のデータ記録方法であって、予め前記記録再生装置に前記データ記憶媒体のみでは前記データの再生を不可能にする機能を持たせ、前記データ記憶媒体とともにそのデータ記憶媒体とは別体の外部記憶媒体の両方を用いた場合にのみ、前記データの再生を可能にするために、前記目次情報を前記外部記憶媒体に記録する方法としたことを特徴とする。
【０００８】
また、本発明の請求項２に記載のデータ記録方法は、請求項１に記載のデータ記録方法であって、前記目次情報を、前記データ記憶媒体には記録せず前記外部記憶媒体のみに記録する方法としたことを特徴とする。
【０００９】
また、本発明の請求項３に記載のデータ記録方法は、情報を記録するための情報記録領域と前記情報の目次情報を記録するための書き換え可能な目次記録領域を有するデータ記憶媒体に対して、前記情報および前記目次情報のデータを記録再生する記録再生装置のデータ記録方法であって、予め前記記録再生装置に前記データ記憶媒体のみでは前記データの再生を不可能にする機能を持たせ、前記データ記憶媒体とともにそのデータ記憶媒体とは別体の外部記憶媒体の両方を用いた場合にのみ、前記データの再生を可能にするために、前記目次情報を暗号化して前記データ記憶媒体に記録し、前記暗号を解く情報を前記外部記憶媒体に記録する方法としたことを特徴とする。
【００１０】
また、本発明の請求項４に記載のデータ記録方法は、請求項１から請求項３のいずれかに記載のデータ記録方法であって、前記データ記憶媒体ごとに、固有のシリアル番号もしくは前記データの一部を使用して、前記記録再生装置が前記データ記憶媒体のそれぞれを識別するための識別情報を作成する方法としたことを特徴とする。
【００１１】
また、本発明の請求項５に記載のデータ記録方法は、請求項１から請求項４のいずれかに記載のデータ記録方法であって、前記外部記憶媒体として持ち運び可能な外部別半導体メモリを用いる方法としたことを特徴とする。
【００１２】
また、本発明の請求項６に記載のデータ記録方法は、請求項１から請求項４のいずれかに記載のデータ記録方法であって、前記外部記憶媒体として外部別固定ディスクを用いる方法としたことを特徴とする。
【００１３】
また、本発明の請求項７に記載のデータ記録方法は、請求項６に記載のデータ記録方法であって、前記外部別固定ディスクは、ネットワークを介して前記記録再生装置の外部に接続する方法としたことを特徴とする。
【００１４】
また、本発明の請求項８に記載のデータ再生方法は、情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記情報および前記目次情報が記録されたデータ記憶媒体と、そのデータ記憶媒体とは別体で前記データ記憶媒体の目次情報が記録された外部記憶媒体とを、両方使用することによって前記記録再生装置によるデータの再生を可能にする方法としたことを特徴とする。
【００１５】
また、本発明の請求項９に記載のデータ再生方法は、情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記情報のみが記録されたデータ記憶媒体と、そのデータ記憶媒体とは別体で前記データ記憶媒体の目次情報が記録された外部記憶媒体とを、両方使用することによって前記記録再生装置によるデータの再生を可能にする方法としたことを特徴とする。
【００１６】
また、本発明の請求項１０に記載のデータ再生方法は、情報を記録するための情報記録領域と前記情報の目次情報を記録するための書き換え可能な目次記録領域を有するデータ記憶媒体に対して、前記情報および前記目次情報のデータを記録再生する記録再生装置のデータ再生方法であって、前記目次情報が暗号化されて記録されたデータ記憶媒体と、そのデータ記憶媒体とは別体で前記データ記憶媒体の暗号を解く情報が記録された外部記憶媒体とを、両方使用することによって前記記録再生装置によるデータの再生を可能にする方法としたことを特徴とする。
【００１７】
また、本発明の請求項１１に記載のデータ再生方法は、請求項８から請求項１０のいずれかに記載のデータ再生方法であって、前記外部記憶媒体として持ち運び可能な外部別半導体メモリを用いる方法としたことを特徴とする。
【００１８】
また、本発明の請求項１２に記載のデータ再生方法は、請求項８から請求項１０のいずれかに記載のデータ再生方法であって、前記前記外部記憶媒体として外部別固定ディスクを用いる方法としたことを特徴とする。
【００１９】
また、本発明の請求項１３に記載のデータ再生方法は、請求項１２に記載のデータ再生方法であって、前記外部別固定ディスクは、ネットワークを介して前記記録再生装置の外部に接続する方法としたことを特徴とする。
【００２０】
以上により、記録時には、データ記憶媒体の目次記録領域に記録される目次情報を、外部記憶媒体にも記録するか、もしくは目次情報を暗号化してデータ記憶媒体に記録するとともにその暗号を解く情報を外部記憶媒体に記録し、再生時には、外部記憶媒体に記録されている目次情報もしくは暗号を解く情報を利用することにより、データ記憶媒体および外部記憶媒体の別々の記憶媒体で、目次情報とその目次情報に対応する情報のデータを管理し、データ記憶媒体のみではデータの再生を不可能とすることができる。
【発明の効果】
【００２１】
以上のように本発明によれば、記録時には、データ記憶媒体の目次記録領域に記録される目次情報を、外部記憶媒体にも記録するか、もしくは目次情報を暗号化してデータ記憶媒体に記録するとともにその暗号を解く情報を外部記憶媒体に記録し、再生時には、外部記憶媒体に記録されている目次情報もしくは暗号を解く情報を利用することにより、データ記憶媒体および外部記憶媒体の別々の記憶媒体で、目次情報とその目次情報に対応する情報のデータを管理し、データ記憶媒体のみではデータの再生を不可能とすることができる。
【００２２】
そのため、複数の記憶媒体を利用する場合にもそれらの管理の際の利便性が良く、利用者がデータ記録した記憶媒体が第３者に渡っても、その記憶媒体だけでは第３者による記録データの再生閲覧を不可能にすることができる。
【発明を実施するための最良の形態】
【００２３】
以下、本発明の実施の形態を示すデータ記録方法およびデータ再生方法について、図面を参照しながら具体的に説明する。
（実施の形態１）
本発明の実施の形態１のデータ記録方法およびデータ再生方法を説明する。
【００２４】
図１は本実施の形態１のデータ記録方法およびデータ再生方法が実行される記録再生装置の構成図である。図１において、１００は記録再生装置、２００は半導体メモリーカード記録・再生装置、３００はディスク型記憶媒体記録・再生装置、５００はデータ記憶媒体としてのディスク型記憶媒体、６００は外部記憶媒体である外部別半導体メモリとして使用する半導体メモリーカードである。記録再生装置１００は半導体メモリーカード記録・再生装置２００とディスク型記憶媒体記録再・生装置３００を内蔵している。
【００２５】
図４はディスク型記憶媒体のデータ構造と、従来のデータ記録後のデータ構造を示している。ディスク型記憶媒体５００は、ＴＯＣ情報を格納しているＴＯＣ情報エリア５１０とデータエリア５２０とを持っている。従来、この状態にデータを記録すると、記録データに基づくＴＯＣ情報５１２と記録データ５２２とが、同一のディスク型記憶媒体５００に記録される。
【００２６】
上記の記録再生装置１００において、書き換え可能なディスク型記憶媒体への記録動作を図５を用いて説明する。
記録時において、書き換え可能なディスク型記憶媒体５００の初期化後は、ＴＯＣ情報エリア部には、初期化後のＴＯＣ情報５１１、データエリアには初期化データ５２１が記録されている。この状態のディスク型記憶媒体５００に、記録データ５２２を書き込むと、従来ならば、ＴＯＣ情報エリアに記録データに基づくＴＯＣ情報５１２が記録され、データエリアに記録データ５２２が記録される。
【００２７】
しかし、本実施の形態によると、記録データに基づくＴＯＣ情報５１２のみが、ディスク型記憶媒体５００のＴＯＣ情報エリア５１１に記録されずに、ＴＯＣ情報ファイル５１２として、外部の半導体メモリーカード６００に記録される。
【００２８】
次に、上記の記録再生装置１００において、１回のみ書き込み可能なディスク型記憶媒体への記録動作を図７を用いて説明する。
記録時において、１回のみ書き込み可能なディスク型記憶媒体５００は、記録領域が未記録状態５３０である。この状態のディスク型記憶媒体５００に、記録データ５２２を書き込むと、従来ならば、ＴＯＣ情報エリアに記録データに基づくＴＯＣ情報５１２が記録され、データエリアに記録データ５２２が記録される。
【００２９】
しかし本発明の形態によると、記録データに基づくＴＯＣ情報５１２のみが、ディスク型記憶媒体５００のＴＯＣ情報エリアに記録されずにＴＯＣ情報エリアは未記録状態５３１となり、ＴＯＣ情報ファイル５１２として外部の半導体メモリーカード６００に記録される。
【００３０】
次に、上記の記録再生装置１００において、ディスク型記憶媒体のＴＯＣ情報エリアに暗号化したＴＯＣ情報を記録し、外部記憶媒体に暗号を解くための情報を記録する動作を図９を用いて説明する。
【００３１】
記録時において、ディスク型記憶媒体５００のＴＯＣ情報エリアには、暗号化されたＴＯＣ情報５１６を書き込むとともに、初期化データエリア５２１には記録データ５２２を書き込み、外部の半導体メモリーカード６００には、暗号化されたＴＯＣ情報５１６の暗号を解くための鍵情報５１７を記録する。
【００３２】
次に、上記の記録再生装置１００において、書き換え可能なディスク型記憶媒体への再生動作を図６を用いて説明する。
再生時において、記録再生装置１００は、ディスク型記憶媒体５００内の記録データ５２２と、外部の半導体メモリーカード６００に格納されている記録データに基づくＴＯＣ情報ファイル５１２とを使用することにより、ディスク型記憶媒体５００内の記録データ５２２の再生を実現する。
【００３３】
次に、上記の記録再生装置１００において、１回書き込み可能なディスク型記憶媒体への再生動作を図８を用いて説明する。
再生時において、記録再生装置１００は、ディスク型記憶媒体５００内の記録データ５２２と、外部の半導体メモリーカード６００に格納されている記録データに基づくＴＯＣ情報ファイル５１２とを使用することにより、ディスク型記憶媒体５００内の記録データの再生を実現する。
【００３４】
図１０は、ディスク型記憶媒体５００のＴＯＣ情報エリアに暗号化されて記録されたＴＯＣ情報５１６に対して、外部の半導体メモリーカード６００に記録されている暗号５１６を解くための鍵情報５１７を活用して暗号を解くことにより、ディスク型記憶媒体５００内の記録データ５２２の再生を実現する。
【００３５】
これら一連の動作に関わる部分の記録時の制御の流れを示すフローチャートを図１３に示し、再生時の制御の流れを示すフローチャートを図１４に示す。
記録時においては、本発明の機能を用いない場合は、図１３（ａ）に示すように、従来と同様に、ディスク型記憶媒体にデータを書き込む処理８００とＴＯＣ情報書き込む処理８０１の実行のみであったが、本発明の機能を用いる場合は、図１３（ｂ）に示すように、制御処理８００と制御処理８０１の間に、本発明の機能の作動制御選択処理８０２が追加され、選択有効（ＹＥＳ）である場合には、記録時に制御する処理８０３と処理８０４の実行とが追加されて、記録処理が実行される。
【００３６】
また、再生時においては、図１４（ａ）に示すように、ディスクがブランクディスクまたはディスク情報がブランクであるか否かの処理９０１を実行後、ブランク情報である場合（ＹＥＳ）、本発明の機能を用いる場合は、図１４（ｂ）に示すように、別記録メディアの存在の検知処理９０４と、別記録メディア内にＴＯＣ情報が存在するか否かの検知処理９０５と、処理９０４と処理９０５の結果それぞれの両方が存在する場合に実行される処理９０６とが追加されて、再生処理が実行される。
【００３７】
図１１は一つの外部記憶媒体（ここでは半導体メモリーカード）にて、複数枚のディスク型記憶媒体のＴＯＣ情報を管理する方法を示す図である。図１１に示すように、ディスク型記憶媒体（ディスクＡ）５０１に記録されたデータのＴＯＣ情報５１３と、ディスク型記憶媒体（ディスクＢ）５０２に記録されたデータのＴＯＣ情報５１４と、ディスク型記憶媒体（ディスクＣ）５０３に記録されたデータのＴＯＣ情報５１５とが、半導体メモリーカード６００に、データファイルとして記録されている。
【００３８】
図１２は図１１に示すＴＯＣ情報を管理する方法において、ＴＯＣ情報の具体例を示す説明図である。図１２に示すように、ディスク型記憶媒体５０１のＴＯＣ情報ファイル５１３に名前をつけることにより、ディスク型記憶媒体５０１と該当ＴＯＣ情報５１３との関連づけを行う。ディスク型記憶媒体５０１の固有シリアＮｏ．を活用してＴＯＣ情報ファイル名を作成する方法や、ディスク型記憶媒体５０１に記録されている記録データの一部を活用してＴＯＣ情報ファイル名を作成する方法などが挙げられる。
【００３９】
これらの一例として、ディスク型記憶媒体（ディスクＡ）５０１の固有シリアルＮＯ．が「１２３４５６７８９０」で、また記録データ領域の先頭アドレスからのデータが「０ｘ４５，０ｘ８０，０ｘＡ１，０ｘＦＣ，０ｘ９Ｂ」であったとした場合に、ＴＯＣ情報ファイル名として、一つは、「１２３４５６７８．９０Ｚ」（図１２（１））であり、もう一つは、「４５８０Ａ１ＦＣ．９ＢＺ」（図１２（２））である。
【００４０】
なお、本実施の形態の例では、ファイル名の長さとして、ファイルの名前に半角８文字、拡張子に半角３文字を用いた形式をとったが、この限りでなくても構わない。
（実施の形態２）
本発明の実施の形態２のデータ記録方法およびデータ再生方法を説明する。
【００４１】
図２は本実施の形態２のデータ記録方法およびデータ再生方法が実行される記録再生装置の構成図である。図２において、１０１は記録再生装置、３００はディスク型記憶媒体記録・再生装置、４００は外部記憶媒体である外部別固定ディスクとして使用する固定ディスク（ハードディスク：ＨＤ）、５００はデータ記憶媒体としてのディスク型記憶媒体である。記録再生装置１０１は固定ディスク４００とディスク型記憶媒体記録・再生装置３００を内蔵している。
【００４２】
本実施の形態においては、固定ディスク４００が、外部記憶媒体の役割を果たすものであり、上記図２の構成により、データ記憶媒体（ディスク型記憶媒体５００）のみでは、記録再生装置１０１のディスク型記憶媒体記録・再生装置３００によるデータ記憶媒体（ディスク型記憶媒体５００）からの記録データの再生を不可能とするように、ＴＯＣ情報を、データ記憶媒体（ディスク型記憶媒体５００）とは別に外部記憶媒体（固定ディスク４００）に記録するようにしている。その他の動作については、実施の形態１と同様であるので、ここでの説明は省略する。
（実施の形態３）
本発明の実施の形態３のデータ記録方法およびデータ再生方法を説明する。
【００４３】
図３は本実施の形態２のデータ記録方法およびデータ再生方法が実行される記録再生装置の構成図である。図３（ａ）において、１０２は記録再生装置、２００は半導体メモリーカード記録・再生装置、３００はディスク型記憶媒体記録・再生装置、４００は外部記憶媒体である外部別固定ディスクとして使用する固定ディスク（ハードディスク：ＨＤ）、５００はデータ記憶媒体としてのディスク型記憶媒体、６００は外部記憶媒体である外部別半導体メモリとして使用する半導体メモリーカードである。記録再生装置１０２は、半導体メモリーカード記録・再生装置２００と、ディスク型記憶媒体記録・再生装置３００と、固定ディスク４００とを内蔵している。
【００４４】
本実施の形態においては、半導体メモリーカード６００と固定ディスク４００の片方または両方が、外部記憶媒体の役割を果たすものであり、上記図３構成により、データ記憶媒体（ディスク型記憶媒体５００）のみでは、記録再生装置１０２のディスク型記憶媒体記録・再生装置３００によるデータ記憶媒体（ディスク型記憶媒体５００）からの記録データの再生を不可能とするように、ＴＯＣ情報を、データ記憶媒体（ディスク型記憶媒体５００）とは別に、外部記憶媒体（半導体メモリーカード６００と固定ディスク４００の片方または両方）に記録するようにしている。その他の動作については、実施の形態１と同様であるので、ここでの説明は省略する。
【００４５】
なお、固定ディスクの配置については、上記のように、固定ディスク４００を記録再生装置１０２に内蔵するのではなく、図３（ｂ）に示すように、固定ディスク４０１をネットワークを介して、記録再生装置１０２の外部に接続される形態をとってもかまわない。
【００４６】
以上のように各実施の形態によれば、記録時には、ディスク型記憶媒体の目次記録領域に記録される目次情報を、半導体メモリーカードまたは固定ディスクにも記録するか、もしくは目次情報を暗号化してディスク型記憶媒体に記録するとともにその暗号を解く情報を半導体メモリーカードまたは固定ディスクに記録し、再生時には、半導体メモリーカードまたは固定ディスクに記録されている目次情報もしくは暗号を解く情報を利用することにより、ディスク型記憶媒体および半導体メモリーカードまたは固定ディスクの別々の記憶媒体で、目次情報とその目次情報に対応する情報のデータを管理し、ディスク型記憶媒体のみではデータの再生を不可能とすることができる。
【００４７】
そのため、複数の記憶媒体を利用する場合にもそれらの管理の際の利便性が良く、利用者がデータ記録した記憶媒体が第３者に渡っても、その記憶媒体だけでは第３者による記録データの再生閲覧を不可能にすることができる。
【産業上の利用可能性】
【００４８】
本発明のデータ記録方法およびデータ再生方法は、複数の記憶媒体を利用する場合にもそれらの管理の際の利便性が良く、利用者がデータ記録した記憶媒体が第３者に渡っても、その記憶媒体だけでは第３者による記録データの再生閲覧を不可能にすることができるもので、秘匿利用を可能にする記録再生装置等に適応できる。
【図面の簡単な説明】
【００４９】
【図１】本発明の実施の形態１のデータ記録方法およびデータ再生方法が実行される記録再生装置の構成図
【図２】本発明の実施の形態２のデータ記録方法およびデータ再生方法が実行される記録再生装置の構成図
【図３】本発明の実施の形態３のデータ記録方法およびデータ再生方法が実行される記録再生装置の構成図
【図４】各実施の形態のデータ記録方法およびデータ再生方法におけるディスク型記憶媒体上のデータ構造の説明図
【図５】各実施の形態のデータ記録方法およびデータ再生方法における書き換み可能なディスク型記憶媒体を使用した時の記録動作の説明図
【図６】各実施の形態のデータ記録方法およびデータ再生方法における書き換み可能なディスク型記憶媒体を使用した時の再生動作の説明図
【図７】各実施の形態のデータ記録方法およびデータ再生方法における１回のみ書き込み可能なディスク型記憶媒体を使用した時の記録動作の説明図
【図８】各実施の形態のデータ記録方法およびデータ再生方法における１回のみ書き込み可能なディスク型記憶媒体を使用した時の再生動作の説明図
【図９】各実施の形態のデータ記録方法およびデータ再生方法における暗号を利用した時の記録動作の説明図
【図１０】各実施の形態のデータ記録方法およびデータ再生方法における暗号を利用した時の再生動作の説明図
【図１１】各実施の形態のデータ記録方法およびデータ再生方法における複数のＴＯＣ情報管理の説明図
【図１２】各実施の形態のデータ記録方法およびデータ再生方法における複数枚のディスク型記憶媒体のＴＯＣ情報の管理方法の説明図
【図１３】各実施の形態のデータ記録方法およびデータ再生方法における記録時の動作を示す概略フローチャート
【図１４】各実施の形態のデータ記録方法およびデータ再生方法における再生時の動作を示す概略フローチャート
【符号の説明】
【００５０】
１００    記録再生装置
１０１    記録再生装置
１０２    記録再生装置
２００    半導体メモリーカード記録・再生装置
３００    ディスク型記憶媒体記録・再生装置
４００    固定ディスク
４０１    固定ディスク
５００    ディスク型記憶媒体
５０１    ディスク型記憶媒体
５０２    ディスク型記憶媒体
５０３    ディスク型記憶媒体
５１０    ＴＯＣ情報エリア
５１１    初期化ディスク時のＴＯＣ情報
５１２    記録データに基づくＴＯＣ情報
５１３    記録データに基づくＴＯＣ情報
５１４    記録データに基づくＴＯＣ情報
５１５    記録データに基づくＴＯＣ情報
５１６    暗号化されたＴＯＣ情報
５１７    鍵情報
５２０  データエリア
５２１  初期化データ
５２２  記録データ
５３０  未記録状態
５３１  未記録状態
６００  半導体メモリーカード
【図１】
2006031758.tif 000003
【図２】
2006031758.tif 000004
【図３】
2006031758.tif 000005
【図４】
2006031758.tif 000006
【図５】
2006031758.tif 000007
【図６】
2006031758.tif 000008
【図７】
2006031758.tif 000009
【図８】
2006031758.tif 000010
【図９】
2006031758.tif 000011
【図１０】
2006031758.tif 000012
【図１１】
2006031758.tif 000013
【図１２】
2006031758.tif 000014
【図１３】
2006031758.tif 000015
【図１４】
2006031758.tif 000016